(57)【要約】  【課題】レンズの保護を考慮した上で、レンズユニットを高い精度で位置決めした状態で締結するカメラを提供する。  【解決手段】前カバー２０と、前カバー２０の内側に配設されたレンズユニット３０と、レンズユニット３０と対向する前記前カバー２０の表側に配設されたレンズリング４０とを有する。  前カバー２０に配設された開口部２２から突出したレンズユニット３０の凸部３２を保護するレンズリング４０の開口部４２の内径を凸部３２の外径に挿入することによって、レンズユニット３０とレンズリング４０とが前カバー２０を挟んで相互に位置決めされる。レンズユニット３０とレンズリング４０とがネジ５０によって共締めされることで、レンズユニット３０とレンズリング４０とが高い精度で位置決めされた状態で締結される。【選択図】  図２
2008020837.tif 000002
【特許請求の範囲】
【請求項１】
撮影レンズを挿通させる第１の開口部が形成された外装体と、
前記外装体の内側に配設された撮影レンズを含むレンズユニットと、
前記撮影レンズを挿通させる第２の開口部を有するレンズ保護部材であって、前記レンズユニットと対向する前記外装体の表側に配設され、前期レンズユニットの前記第１の開口部から突出する先端部を保護するレンズ保護部材と、
を備え、
前記レンズユニットと前記レンズ保護部材とは前記外装体を挟んで締結部材によって共締めされることを特徴とするカメラ。
【請求項２】
撮影レンズを挿通させる第１の開口部が形成された外装体と、
前記外装体の内側に配設された撮影レンズを含むレンズユニットと、
前記撮影レンズを挿通させる第２の開口部を有するレンズ保護部材であって、前記レンズユニットと対向する前記外装体の表側に配設され、前期レンズユニットの前記第１の開口部から突出する先端部を保護するレンズ保護部材と、
を備え、
前記レンズユニットは締結部材によって前記外装体表側から前記外装体に締結され、前記締結部材は前記レンズ保護部材によって目隠しされることを特徴とするカメラ。
【請求項３】
前記レンズ保護部材は、前記締結部材に対向する部分に凹部が形成されていることを特徴とする請求項２に記載のカメラ。
【請求項４】
前記外装体は、前記レンズ保護部材が配設される外装体の表面から前記締結部材が突出しないように、前記第１の開口部の周縁部に凹部が形成されていることを特徴とする請求項２に記載のカメラ。
【請求項５】
前記レンズユニットと前記レンズ保護部材とは、前記レンズ保護部材の第２の開口部の内径を前記レンズユニットの外径に挿入することによって相互に位置決めされることを特徴とする請求項１乃至４のいずれかに記載のカメラ。
【請求項６】
撮影レンズを挿通させる開口部が形成された外装体であって、前記開口部の周縁に前記レンズユニットを保護するレンズ保護部が一体成形された外装体と、
前記外装体の内側に配設された撮影レンズを含むレンズユニットと、
を備え、
前記外装体が前記開口部の内径を前記レンズユニットの外径に挿入することによって前記レンズユニットに位置決めされた状態で、前記外装体と前記レンズユニットとが締結部材によって前記外装体表側から締結されることを特徴とするカメラ。
【請求項７】
撮影レンズを挿通させる開口部が形成された外装体と、
前記外装体の内側に配設された撮影レンズを含むレンズユニットと、
を備え、
前記外装体が前記開口部の内径を前記レンズユニットの外径に挿入することによって前記レンズユニットに位置決めされた状態で、前記外装体と前記レンズユニットとが前記開口部の周縁に複数配設されている締結部材によって前記外装体表側から締結され、前記レンズユニットは前記外装体の前面よりも突出している前記締結部材によって保護されることを特徴とするカメラ。
【発明の詳細な説明】
【技術分野】
【０００１】
本発明はカメラに係り、特にレンズユニット前面にレンズ保護部を備えたカメラに関する。
【背景技術】
【０００２】
レンズリング又は外装体がレンズユニットの前面に配設されているが、レンズユニットとレンズリング又は外装体との取り付け位置がずれていると見栄えが悪いため、レンズユニットはレンズリング又は外装体に対して精度よく位置決めをした状態で締結する必要がある。
【０００３】
これに対応するために、レンズユニットと外装体とを基板に対して位置決めした状態で締結するカメラが提案されている（特許文献１）。
【特許文献１】特開２００３―７８７９７号公報
【発明の開示】
【発明が解決しようとする課題】
【０００４】
しかしながら、上記特許文献１では以下のような欠点があった。特許文献１では、内部部材を介在するため、内部部材の誤差等でレンズユニットと外装枠との位置ずれが発生しやすいという問題があった。
【０００５】
本発明はこのような事情に鑑みてなされたもので、レンズの保護を考慮した上で、レンズユニットを高い精度で位置決めした状態で締結するカメラを提供することを目的とする。
【課題を解決するための手段】
【０００６】
前記目的を達成するために、請求項１に記載のカメラは、撮影レンズを挿通させる第１の開口部が形成された外装体と、前記外装体の内側に配設された撮影レンズを含むレンズユニットと、前記撮影レンズを挿通させる第２の開口部を有するレンズ保護部材であって、前記レンズユニットと対向する前記外装体の表側に配設され、前期レンズユニットの前記第１の開口部から突出する先端部を保護するレンズ保護部材と、を備え、前記レンズユニットと前記レンズ保護部材とは前記外装体を挟んで締結部材によって共締めされることを特徴としている。これにより、レンズユニットとレンズ保護部材とを高い精度で位置決めした状態で締結することができる。
【０００７】
請求項２に記載のカメラは、撮影レンズを挿通させる第１の開口部が形成された外装体と、前記外装体の内側に配設された撮影レンズを含むレンズユニットと、前記撮影レンズを挿通させる第２の開口部を有するレンズ保護部材であって、前記レンズユニットと対向する前記外装体の表側に配設され、前期レンズユニットの前記第１の開口部から突出する先端部を保護するレンズ保護部材と、を備え、前記レンズユニットは締結部材によって前記外装体表側から前記外装体に締結され、前記締結部材は前記レンズ保護部材によって目隠しされることを特徴としている。これにより、外装体に締結されたレンズユニットとレンズ保護部材とを高い精度で位置決めすることができる。
【０００８】
請求項３に記載のカメラは、請求項２に記載のカメラにおいて、前記レンズ保護部材は、前記締結部材に対向する部分に凹部が形成されていることを特徴としている。これにより、レンズ保護部材によって締結部材を目隠しすることが出来る。
【０００９】
請求項４に記載のカメラは、請求項２に記載のカメラにおいて、前記外装体は、前記レンズ保護部材が配設される外装体の表面から前記締結部材が突出しないように、前記第１の開口部の周縁部に凹部が形成されていることを特徴としている。これにより、レンズ保護部材によって締結部材を目隠しすることが出来る。
【００１０】
請求項５に記載のカメラは、請求項１及至４にいずれかに記載のカメラにおいて、前記レンズユニットと前記レンズ保護部材とは、前記レンズ保護部材の第２の開口部の内径を前記レンズユニットの外径に挿入することによって相互に位置決めされることを特徴としている。これにより、レンズユニットとレンズ保護部材とを高い精度で位置決めすることが出来る。
【００１１】
請求項６に記載のカメラは、撮影レンズを挿通させる開口部が形成された外装体であって、前記開口部の周縁に前記レンズユニットを保護するレンズ保護部が一体成形された外装体と、前記外装体の内側に配設された撮影レンズを含むレンズユニットと、を備え、前記外装体が前記開口部の内径を前記レンズユニットの外径に挿入することによって前記レンズユニットに位置決めされた状態で、前記外装体と前記レンズユニットとが締結部材によって前記外装体表側から締結されることを特徴としている。これにより、レンズユニットと外装体とを高い精度で位置決めした状態で締結することが出来る。
【００１２】
請求項７に記載のカメラは、撮影レンズを挿通させる開口部が形成された外装体と、前記外装体の内側に配設された撮影レンズを含むレンズユニットと、を備え、前記外装体が前記開口部の内径を前記レンズユニットの外径に挿入することによって前記レンズユニットに位置決めされた状態で、前記外装体と前記レンズユニットとが前記開口部の周縁に複数配設されている締結部材によって前記外装体表側から締結され、前記レンズユニットは前記外装体の前面よりも突出している前記締結部材によって保護されることを特徴としている。これにより、レンズユニットと外装体とを高い精度で位置決めした状態で締結することが出来る。
【発明の効果】
【００１３】
本発明によれば、レンズの保護を考慮した上で、レンズユニットを高い精度で位置決めした状態で締結するカメラを提供することができる。
【発明を実施するための最良の形態】
【００１４】
以下、添付図面に従って本発明に係るカメラを実施するための最良の形態について詳細に説明する。
【００１５】
図１は本発明に係る第１の実施の形態のカメラ１０を斜め前方から見た、要部内容物を分解した斜視図であり、図２は上記カメラ１０の要部断面図である。前カバー２０の内側にはレンズユニット３０が配設されており、前カバー２０の表側にはレンズユニット３０の先端に配設されている凸部３２を保護するためのレンズリング４０が配設されている。前カバー２０の開口部２２にレンズユニット３０を挿通させ、前カバー２０の前面から突出した凸部３２をレンズリング４０の開口部４２に挿通させることで、レンズユニット３０とレンズリング４０とが位置決めされる。
【００１６】
次に、レンズユニット３０とレンズリング４０の締結方法について説明する。
【００１７】
レンズユニット３０に配設されている貫通ネジ穴３４を前カバー２０に配設されている穴２４に重ねるようにして、前カバー２０に対してレンズユニット３０を位置合わせする。そして、レンズリング４０に配設されているネジ穴４４を穴２４と貫通ネジ穴３４とに重ねるようにして、レンズユニット３０に対してレンズリング４０を位置合わせする。その後、レンズユニット３０側からネジ５０を挿入し、貫通ネジ穴３４とネジ穴４４とを共締めすることによって、レンズユニット３０とレンズリング４０とで前カバー２０を挟んだ状態で、レンズユニット３０とレンズリング４０とを締結する。なお、穴２４の形状は円形に限らず、長穴でもよい。
【００１８】
本実施の形態によれば、レンズユニットとレンズリングとを高い精度で位置決めした状態で締結することができる。なお、本実施の形態では、２箇所でネジ締めを行ったが、１箇所でもよいし３箇所以上でもよい。また、レンズユニットとレンズリングとをネジによって締結したが、ピン、リベット等を用いて締結してもよい。
【００１９】
図３は本発明に係る第２の実施の形態のカメラ６０を斜め前方から見た、要部内容物を分解した斜視図であり、図４は上記カメラ６０の要部断面図である。前カバー７０の内側にはレンズユニット８０が配設されており、前カバー７０の表側にはレンズユニット８０の先端に配設されている凸部８２を保護するためのレンズリング９０が配設されている。レンズリング９０の背面に、前カバー７０とレンズリング９０とを締結するためのネジ１００とレンズリング９０とが干渉しないようにするための凹部９４が配設されており、レンズリング９０を前カバー７０の表側に配設することで、ネジ１００が目隠しされる。前カバー７０の開口部７２にレンズユニット８０を挿通させ、前カバー７０の前面から突出した凸部８２をレンズリング９０の開口部９２に挿通させることで、レンズユニット８０とレンズリング９０とが位置決めされる。
【００２０】
次に前カバー７０とレンズユニット８０とレンズリング９０との組み立て方法について説明する。
【００２１】
レンズユニット８０に配設されているネジ穴８４を前カバー７０に配設されている穴７
４に重ねるようにして、前カバー７０に対してレンズユニット８０を位置合わせする。前カバー７０側からネジ１００を挿入し、ネジ１００をネジ穴８４に締めることによって、前カバー７０とレンズユニット８０とを締結する。その後、前カバー７０前面からレンズリング９０を挿入し、レンズリング９０と前カバー７０とを接着する。
【００２２】
本実施の形態によれば、外装体に締結されたレンズユニットとレンズリングとを高い精度で位置決めすることができる。なお、本実施の形態では、３箇所でネジ締めを行ったが、２箇所以下でもよいし４箇所以上でもよい。また、前カバーとレンズユニットとをネジによって締結したが、ピン、リベット等を用いて締結してもよい。また、レンズリングと前カバーを接着したが、両面テープで固定してもよいし、前カバー又はレンズリングと一体に形成された爪を用いてスナップフィット等で固定してもよい。
【００２３】
図５は本発明に係る第２の実施の形態の変形例のカメラ６０’を斜め前方から見た、要部内容物を分解した斜視図であり、図４は上記カメラ６０’の要部断面図である。なお、図中第２の実施の形態と同一の部分については、同一の符号を付し、説明を省略する。前カバー７０の開口部の周縁部に、前カバー７０とレンズリング９０とを締結するためのネジ１００とレンズリング９０とが干渉しないようにするための凹部７６が配設されており、レンズリング９０を前カバー７０の表側に配設することで、ネジ１００が目隠しされる。
【００２４】
この第２の実施の形態の変形例と第２の実施の形態との違いは、ネジとレンズリングが干渉しないようにするための逃げをレンズリングに形成するか又は前カバーに形成するかの違いである。本実施の形態によれば、外装体に締結されたレンズユニットとレンズリングとを高い精度で位置決めすることができる。
【００２５】
図７は本発明に係る第３の実施の形態のカメラ１１０を斜め前方から見た斜視図であり、図８は上記カメラ１１０の要部断面図である。前カバー１２０の内側にはレンズユニット１３０が配設されている。また、前カバー１２０の開口部１２２の周縁部には、レンズユニット１３０の先端に配設されている凸部１３２を保護するための凸部１２６が配設されている。レンズユニット１３０の凸部１３２を前カバー１２０の開口部１２２に挿通させることで、前カバー１２０とレンズユニット１３０とが位置決めされる。
【００２６】
次に、前カバー１２０とレンズユニット１３０の締結方法について説明する。
【００２７】
レンズユニット１３０に配設されているネジ穴１３４を前カバー１２０に配設されている穴１２４に重ねるようにして、前カバー１２０に対してレンズユニット１３０を位置合わせする。その後、前カバー１２０側からネジ１４０を挿入し、ネジ１４０をネジ穴１３４に締めることによって、前カバー１２０とレンズユニット１３０とを締結する。このとき、ネジ１４０は外観に見せるデザインにする。なお、穴１２４の形状は円形に限らず、長穴でもよい。
【００２８】
本実施の形態によれば、前カバーとレンズユニットとを高い精度で位置決めした状態で締結することができる。なお、本実施の形態では、３箇所でネジ締めを行ったが、２箇所以下でもよいし４箇所以上でもよい。また、前カバーとレンズユニットとをネジによって締結したが、ピン、リベット等を用いて締結してもよい。
【００２９】
図９は本発明に係る第４の実施の形態のカメラ１５０を斜め前方から見た斜視図であり、図１０は上記カメラ１５０の要部断面図である。前カバー１６０の内側にはレンズユニット１７０が配設されている。レンズユニット１７０の凸部１７２を前カバー１６０の開口部１６２に挿通させることで、前カバー１６０とレンズユニット１７０とが位置決めされる。
【００３０】
次に、前カバー１６０とレンズユニット１７０の締結方法について説明する。
【００３１】
レンズユニット１７０のネジボス１７６に配設されているネジ穴１７４を前カバー１６０に配設されている穴１６４に重ねるようにして、前カバー１６０に対してレンズユニット１７０を位置合わせする。その後、前カバー１６０側からネジ１８０を挿入し、ネジ１８０をネジ穴１７４に締めることによって、前カバー１６０とレンズユニット１７０とを締結する。
【００３２】
このとき、ネジ１８０は外観に見せるデザインにする。また、ネジ１８０は開口部１６２の周縁部に配置され、レンズユニット１７０の先端に配設されている凸部１７２を保護する機能を有している。そのため、ネジ１８０の頭は凸部１７２の前面より０．１５ｍｍ以上突出していることが望ましい。なお、穴１６４形状は円形に限らず、長穴でもよい。
【００３３】
本実施の形態によれば、前カバーとレンズユニットとを高い精度で位置決めした状態で締結することができる。なお、本実施の形態では、５箇所でネジ締めを行ったが、２箇所以上であればよい。また、前カバーとレンズユニットとをネジによって締結したが、ピン、リベット等を用いて締結してもよい。
【図面の簡単な説明】
【００３４】
【図１】本発明が適用されたカメラの第１の実施の形態を斜め前方から見た、要部内容物を分解した斜視図である。
【図２】上記カメラの第１の実施の形態の要部断面図である。
【図３】本発明が適用されたカメラの第２の実施の形態を斜め前方から見た、要部内容物を分解した斜視図である。
【図４】上記カメラの第２の実施の形態の要部断面図である。
【図５】本発明が適用されたカメラの第２の実施の形態の変形例を斜め前方から見た、要部内容物を分解した斜視図である。
【図６】上記カメラの第２の実施の形態の変形例の要部断面図である。
【図７】本発明が適用されたカメラの第３の実施の形態を斜め前方から見た斜視図である。
【図８】上記カメラの第３の実施の形態の要部断面図である。
【図９】本発明が適用されたカメラの第４の実施の形態を斜め前方から見た斜視図である。
【図１０】上記カメラの第４の実施の形態の要部断面図である。
【符号の説明】
【００３５】
１０…カメラ、２０…前カバー、３０…レンズユニット、４０…レンズリング、５０…ネジ、６０…カメラ、７０…前カバー、８０…レンズユニット、９０…レンズリング、１００…ネジ、１１０…カメラ、１２０…前カバー、１３０…レンズユニット、１４０…ネジ、１５０…カメラ、１６０…前カバー、１７０…レンズユニット、１８０…ネジ
【図１】
2008020837.tif 000003
【図２】
2008020837.tif 000004
【図３】
2008020837.tif 000005
【図４】
2008020837.tif 000006
【図５】
2008020837.tif 000007
【図６】
2008020837.tif 000008
【図７】
2008020837.tif 000009
【図８】
2008020837.tif 000010
【図９】
2008020837.tif 000011
【図１０】
2008020837.tif 000012